(57)【要約】【課題】自身に装着された装置と周囲に配された装置が、同タイミングで撮影および／または録音制御を行うことが可能なデータ記憶装置およびプログラムを提供する。【解決手段】撮像および録音の少なくともいずれかを行うデータ記憶装置であって、所定のトリガー信号を外部装置に送信するトリガー信号送信部と、前記撮像および録音の少なくともいずれかを行うよう制御する記憶制御部と、前記トリガー信号を送信したタイミングで前記撮像および録音の少なくともいずれかにより取得した記憶データに、マーキングを行うマーキング部と、を備える、データ記録装置。【選択図】図１
2014033307.tif 000002
【特許請求の範囲】
【請求項１】
撮像および録音の少なくともいずれかを行うデータ記憶装置であって、
所定のトリガー信号を外部装置に送信するトリガー信号送信部と、
前記撮像および録音の少なくともいずれかを行うよう制御する記憶制御部と、
前記トリガー信号を送信したタイミングで前記撮像および録音の少なくともいずれかにより取得した記憶データに、マーキングを行うマーキング部と、
を備える、データ記録装置。
【請求項２】
前記トリガー信号は、前記外部装置が撮像および録音の少なくともいずれかにより取得した記憶データに対してマーキングするよう前記外部装置に指示するためのものである、請求項１に記載のデータ記憶装置。
【請求項３】
前記記憶制御部は、前記撮像および録音の少なくともいずれかを連続的に行うよう制御し、
前記トリガー信号送信部は、前記撮像および録音の少なくともいずれかが連続的に行われている場合、定期的または不定期的に、前記外部装置に前記トリガー信号を送信する、請求項１に記載のデータ記憶装置。
【請求項４】
前記データ記憶装置は、
前記撮像および録音の少なくともいずれかによる記憶データの取得をユーザが任意に指示するための指示部を備え、
前記記憶制御部は、前記指示部による指示に応じて、前記撮像および録音の少なくともいずれかを行うよう制御し、
前記トリガー信号送信部は、前記指示部が操作されたタイミングで、前記トリガー信号を送信する、請求項１に記載のデータ記憶装置。
【請求項５】
前記指示部は、シャッターボタンまたは録音開始ボタンである、請求項４に記載のデータ記憶装置。
【請求項６】
前記データ記憶装置は、ユーザに装着され得るウェアラブル装置である、請求項１に記載のデータ記憶装置。
【請求項７】
前記外部装置は、前記ユーザの周囲に配されている外部機器、または他のユーザに装着されているウェアラブル装置である、請求項６に記載のデータ記憶装置。
【請求項８】
前記データ記憶装置は、屋外または屋内において、ユーザの周囲に配される外部機器である、請求項１に記載のデータ記憶装置。
【請求項９】
前記外部装置は、前記ユーザの周囲に配される他の外部機器、または前記ユーザに装着され得るウェアラブル装置である、請求項８に記載のデータ記憶装置。
【請求項１０】
前記データ記憶装置は、
特定コマンドを検出する検出部を備え、
前記記憶制御部は、前記検出部により検出された特定コマンドに応じで、前記撮像および録音の少なくともいずれかを行うよう制御し、
前記トリガー信号送信部は、前記検出部により前記特定コマンドが検出された場合、前記トリガー信号を前記外部装置に送信する、請求項１に記載のデータ記憶装置。
【請求項１１】
前記検出部は、撮像および録音の少なくともいずれかにより取得した記憶データに基づいて、前記特定コマンドを検出する、請求項１０に記載のデータ記憶装置。
【請求項１２】
前記特定コマンドは、撮像または録音を指示するコマンド、または緊急事態を示すコマンドである、請求項１０に記載のデータ記憶装置。
【請求項１３】
前記検出部は、さらに撮像および録音の少なくともいずれかを行うための付加情報を生成する、請求項１０に記載のデータ記憶装置。
【請求項１４】
前記付加情報とは、前記特定コマンドに応じた前記撮像および録音の少なくともいずれかによるデータ取得の方向を示す情報である、請求項１３に記載のデータ記憶装置。
【請求項１５】
前記マーキング部は、時刻情報によりマーキングを行う、請求項１に記載のデータ記憶装置。
【請求項１６】
前記データ記憶装置は、
前記データ記憶装置が撮像および録音の少なくともいずれかにより取得した第１の記憶データと、当該第１の記憶データのマーキングと一致するマーキングがされた、前記外部装置が撮像および録音の少なくともいずれかにより取得した第２の記憶データとに基づいて、出力データを生成するデータ生成部と、
前記データ生成部により生成された出力データを再生する再生部と、
を備える、請求項１に記載のデータ記憶装置。
【請求項１７】
コンピュータを、
所定のトリガー信号を外部装置に送信するトリガー信号送信部と、
撮像および録音の少なくともいずれかを行うよう制御する記憶制御部と、
前記トリガー信号を送信したタイミングで前記撮像および録音の少なくともいずれかにより取得した記憶データに、マーキングを行うマーキング部、
として機能させるための、プログラム。
【発明の詳細な説明】
【技術分野】
【０００１】
本開示は、データ記憶装置およびプログラムに関する。
【背景技術】
【０００２】
一般的に、行楽施設や観光地では、多くの人が思い出作りのために写真撮影やビデオ撮影を行う。また、大型の遊園地、いわゆるテーマパークでは、アトラクションの要所にカメラが設置され、乗り物が到着した時に自動撮影を行い、アトラクション終了後に希望者にプリントして販売するといったことが行われている。しかし、プリントの出来上がりに時間がかかったり、アトラクション毎に独立したシステムであるために複数の写真をまとめてプリントできなかったりといった不満があった。
【０００３】
上記不満を解消するために、例えば下記特許文献１では、撮影対象となる来場者のみに無線タグのような通信手段を配布し、その通信手段から発信される識別情報の検出に基づいて撮影を行う画像撮影システムが開示されている。
【０００４】
また、下記特許文献２では、赤外線等のセンサによって撮影場所で被写体が検出されたことに基づいて撮影を行うシステムが開示されている。
【０００５】
一方、近年、自分の身に装着して自動的に外界を撮影し続けるウェラブルカメラが知られている。また、ウェラブルカメラは、自分の毎日の生活、人生を撮影し続けることから、ライフログカメラとも称されている。
【０００６】
このようなウェアラブルカメラに関し、例えば下記特許文献３では、情報端末同士を無線接続し、個人用ウェアラブルネットワークを構成し、それをインターネット接続する技術が開示されている。
【０００７】
また、下記特許文献４では、通常の撮影モードと、カメラを身に着けたままで自動撮影する自動撮影モードを切り換えて用いる技術が開示されている。
【先行技術文献】
【特許文献】
【０００８】
【特許文献１】特開２００１−１７７７５０号公報
【特許文献２】特開２００２−１１２０７４号公報
【特許文献３】特開２００１−２７４９３６号公報
【特許文献４】特開２００４−３５６９７０号公報
【発明の概要】
【発明が解決しようとする課題】
【０００９】
しかしながら、ウェアラブルカメラ（ライフログカメラ）では、自分の外界しか撮影されないので、自分自身が写った画像を取得することはできなかった。
【００１０】
また、上記各特許文献では、自分の外界を撮影するウェアラブルカメラと、自分を周囲から撮影する自動撮影システムとの連動については、特に言及されていない。
【００１１】
そこで、本開示では、自身に装着された装置と周囲に配された装置が、同タイミングで撮影および／または録音制御を行うことが可能な、新規かつ改良されたデータ記憶装置およびプログラムを提案する。
【課題を解決するための手段】
【００１２】
本開示によれば、撮像および録音の少なくともいずれかを行うデータ記憶装置であって、所定のトリガー信号を外部装置に送信するトリガー信号送信部と、前記撮像および録音の少なくともいずれかを行うよう制御する記憶制御部と、前記トリガー信号を送信したタイミングで前記撮像および録音の少なくともいずれかにより取得した記憶データに、マーキングを行うマーキング部と、を備えるデータ記録装置を提案する。
【００１３】
本開示によれば、コンピュータを、所定のトリガー信号を外部装置に送信するトリガー信号送信部と、撮像および録音の少なくともいずれかを行うよう制御する記憶制御部と、前記トリガー信号を送信したタイミングで前記撮像および録音の少なくともいずれかにより取得した記憶データに、マーキングを行うマーキング部、として機能させるためのプログラムを提案する。
【発明の効果】
【００１４】
以上説明したように本開示によれば、自身に装着された装置と周囲に配された装置が、同タイミングで撮影および／または録音制御を行うことが可能となる。
【図面の簡単な説明】
【００１５】
【図１】本開示の一実施形態による記憶システムの概要を説明するための図である。
【図２】本実施形態による記憶システムの全体構成の一例を示す図である。
【図３】本実施形態によるデータ記憶装置の構成を示すブロック図である。
【図４】本実施形態によるＣＰＵの機能構成を示すブロック図である。
【図５】本実施形態による記憶メディアに保持される記憶データの一例を示す図である。
【図６】本実施形態による外部機器の構成を示すブロック図である。
【図７】本実施形態によるデータ記憶装置の動作処理を示すフローチャートである。
【図８】ユーザによる視点変更操作に応じて切り替わる画像例を示す図である。
【図９】本実施形態による合成画像の一例を示す図である。
【図１０】本実施形態による過去の画像との合成例を示す図である。
【図１１】本実施形態の第１の変形例による記憶システムの全体構成を示す図である。
【図１２】第１の変形例によるデータ記憶装置の動作処理を示すフローチャートである。
【図１３】第１の変形例によるデータ記憶装置の動作処理を示すフローチャートである。
【図１４】第１の変形例によるデータ記憶装置の動作処理を示すフローチャートである。
【図１５】第１の変形例による外部機器の動作処理を示すフローチャートである。
【図１６】第１の変形例による外部機器の動作処理を示すフローチャートである。
【図１７】本実施形態の第２の変形例による記憶システムの構成を示す図である。
【図１８】第２の変形例による外部機器のＣＰＵの機能構成を示すブロック図である。
【図１９】本実施形態による第３の変形例による記憶システムの構成を示す図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、説明は以下の順序で行うものとする。
１．本開示の一実施形態による記憶システムの概要
２．基本構成
２−１．システム構成
２−２．データ記憶装置
２−３．サーバ
３．動作処理
４．画像生成
５．変形例
５−１．第１の変形例
５−２．第２の変形例
５−３．第３の変形例
６．まとめ
【００１８】
＜１．本開示の一実施形態による記憶システムの概要＞
まず、本開示の一実施形態による記憶システムの概要について、図１を参照して説明する。図１は、本開示の一実施形態による記憶システムの概要を説明するための図である。本実施形態による記憶システムでは、図１に示す屋外の他、屋内にも多数のカメラおよびマイクロフォン（以下、マイクと称す）等の各種センサが配置されている状況を想定する。
【００１９】
図１に示す例では、屋外の至る所に、外部機器２Ａ〜２Ｅが配置されている。外部機器２Ａ〜２Ｅは、カメラおよびマイクを有し、継続的に撮影・録音を行っている。
【００２０】
一方、図１に示すユーザは、外界を自動的に撮影・録音可能なデータ記憶装置１（ウェアラブル装置）を装着している。データ記憶装置１は、ユーザに装着されたままの状態で撮影・録音を行うことが可能である。図１に示す例では、データ記憶装置１が、撮像レンズが設けられた面が表になるよう装着されている。なお、データ記憶装置１の装着方法は、図１に示すような、データ記憶装置１に取り付けられた紐でユーザの首に掛けられる方法に限定されず、例えば、ユーザの帽子、衣服、鞄等に取り付けられていてもよいし、ユーザの衣服のポケットに入れられてもよい。
【００２１】
このように、ユーザは、自身の身に装着したデータ記憶装置１により自動的に外界を撮影し続け、ライフログを取得することができる。しかしながら、上述したように、通常ウェアラブルカメラ（ライフログカメラ）では、自分の外界しか撮影されないので、自分自身が写った画像を取得することはできなかった。
【００２２】
ここで、自分自身が写った画像は、ユーザの周囲に配された外部機器２Ａ〜２Ｅで取得することが可能である。
【００２３】
そこで、上記事情を一着眼点にして本開示の各実施形態による記憶システムを創作するに至った。本開示の各実施形態による記憶システムは、ユーザに装着されたデータ記憶装置と、ユーザの周囲に配された外部機器が、略同じタイミングで撮影／録音制御を行い、撮影／録音により取得した各記憶データを紐付けることができる。これにより、ユーザの外界を撮影・録音した記憶データと、同タイミングでユーザ自身を含む周囲から撮影・録音した記憶データが紐付けられ、ユーザは真のライフログデータを取得することができる。
【００２４】
以上、本開示の一実施形態における記憶システムの概要について説明した。続いて、本実施形態による記憶システムの構成について図２〜図６を参照して詳細に説明する。
【００２５】
＜２．基本構成＞
［２−１．システム構成］
図２は、本実施形態による記憶システムの全体構成の一例を示す図である。図２に示すように、本実施形態による記憶システムは、データ記憶装置１および外部機器２を有する。
【００２６】
データ記憶装置１は、例えばＷｉ−Ｆｉ、Ｂｌｕｅｔｏｏｈ（登録商標）、赤外線通信等の近距離無線通信により、トリガー信号を送信する。ここでトリガー信号とは、外部機器２に所定の制御を指示するための信号である。
【００２７】
また、データ記憶装置１は、トリガー信号を送信したタイミングで撮像／録音した記憶データにマーキングを行う。
【００２８】
一方、トリガー信号を受信した外部機器２Ａ〜２Ｃは、当該トリガー信号に応じた制御を行う。例えば、外部機器２Ａ〜２Ｃは、トリガー信号を受信したタイミングで撮像／録音した記憶データをデータ記憶装置１に送信してもよい。
【００２９】
これにより、本実施形態によるデータ記憶装置１は、ユーザの外界を撮影／録音した記憶データと、外部機器２により同タイミングでユーザを周囲から撮影／録音した記憶データを取得することができる。さらに、データ記憶装置１は、撮影／録音した記憶データに付けられたマーキングに基づいて、外部機器２により同タイミングでユーザを周囲から撮影／録音した記憶データを抽出することができる。以下、本実施形態によるデータ記憶装置１および外部機器２の構成について各々説明する。
【００３０】
［２−２．データ記憶装置］
図３は、本実施形態によるデータ記憶装置１の構成を示すブロック図である。図３に示すように、本実施形態によるデータ記憶装置１は、ＣＰＵ１０、ＲＯＭ１１、ＲＡＭ１２、カメラモジュール１３、操作入力部１４、ＧＰＳ測位部１５、表示部１６、通信部１７、マイク１８、スピーカー１９、および記憶メディア２０を有する。以下、各構成について具体的に説明する。
【００３１】
カメラモジュール１３は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００３２】
操作入力部１４は、ユーザによる操作入力を受け付ける。操作入力部１４は、例えば電源スイッチ、撮影／録音指示部、および設定操作ボタン等である。撮影／録音指示部は、カメラモジュール１３による撮影処理や、マイク１８による収音処理をユーザが指示するためのものであって、例えばシャッターボタン／録音開始ボタンといったボタン形式であってもよい。また、撮影／録音指示部は、データ記憶装置１に取り付けられた紐を引く形式であってもよい。
【００３３】
ＧＰＳ（Ｇｌｏｂａｌ  Ｐｏｓｉｔｉｏｎｉｎｇ  Ｓｙｓｔｅｍ）測位部１５は、ＧＰＳ衛星からの電波を受信して、データ記憶装置１が存在している位置を検知し、検知した位置情報を出力する。なお、ＧＰＳ測位部１５は、外部からの取得信号に基づいてデータ記憶装置１の位置を検知する位置情報取得部の一例であって、本実施形態による位置情報取得部の例はこれに限定されない。例えば、位置情報取得部は、ＷｉＦｉ、携帯電話・ＰＨＳ・スマートフォン等との送受信、または近距離通信等により位置を検知するものであってもよい。
【００３４】
表示部１６は、カメラモジュール１３から出力された撮影画像をリアルタイムに表示したり、記憶メディア２０に記憶されている画像データ（静止画像データ／動画像データ）を表示（再生）したりする。また、表示部１６は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【００３５】
通信部１７は、外部装置とデータ通信を行うための通信インターフェースである。本実施形態による通信部１７は、例えばＣＰＵ１０の制御に応じて、トリガー信号を外部機器２に送信したり、外部機器２から当該トリガー信号に応じて撮影・録音されたデータ（撮影画像、録音データ）を受信したりする。
【００３６】
マイク１８は、周囲の音を収音し、アンプおよびＡＤＣ（アナログデジタルコンバータ）を介してデジタル信号に変換した音データを出力する。
【００３７】
スピーカー１９は、ＤＡＣ（デジタルアナログコンバータ）およびアンプを介して、音データをアナログ信号に変換し、出力（再生）する。例えば、本実施形態によるスピーカー１９は、記憶メディア２０に保持されている録音データを再生してもよい。
【００３８】
記憶メディア２０は、撮影・録音された各記憶データを保持する画像記憶部であって、例えばカード型メモリなどのフラッシュメモリや、ＤＶＤ（Ｄｉｇｉｔａｌ Ｖｅｒｓａｔｉｌｅ Ｄｉｓｃ）などの記録媒体により実現される。記憶メディア２０は、カメラモジュール１３から連続的に出力される撮影画像を、シャッターボタンの操作タイミングに応じて、静止画像データ（写真）として保持してもよい。また、記憶メディア２０は、カメラモジュール１３から連続的に出力される撮影画像を、動画像データ（ビデオ）として保持してもよい。
【００３９】
また、記憶メディア２０は、録音開始ボタンの操作タイミングに応じて、マイク１８により収音された音データを保持してもよい。
【００４０】
さらに、記憶メディア２０は、通信部１７が外部機器２から受信した撮影画像や録音データを保持してもよい。
【００４１】
ＣＰＵ１０は、データ記憶装置１の各構成を制御する制御部である。ＣＰＵ１０の具体的な機能については図４を参照して後述する。
【００４２】
ＲＯＭ１１には、ＣＰＵ１０が各処理を遂行するためのプログラム等が記憶されている。また、ＲＡＭ１２は、ＣＰＵ１０がＲＯＭ１１に記憶されているプログラムを実行する際に、ワークエリアとして用いられる。
【００４３】
（ＣＰＵ１０の具体的な機能）
図４は、本実施形態によるＣＰＵ１０の機能構成を示すブロック図である。図４に示すように、ＣＰＵ１０は、記憶制御部１１０、トリガー信号送信制御部１２０、マーキング部１３０、データ生成部１５０、および再生制御部１６０を有する。
【００４４】
記憶制御部１１０は、カメラモジュール１３により撮影された撮影画像を、記憶メディア２０に保持するよう制御したり、マイク１８により収音（録音）された音データを、記憶データとして記憶メディア２０に保持するよう制御したりする。また、記憶制御部１０は、撮影／録音の制御を、予め設定された定期的または不定期的なタイミングで連続的に行ってもよいし、操作入力部１４によりユーザが任意のタイミングで撮影／録音の指示がされた場合に行ってもよい。
【００４５】
トリガー信号送信制御部１２０は、記憶制御部１１０による撮影／録音に応じて、外部機器２にトリガー信号を送信するよう通信部１７を制御する。具体的には、例えばトリガー信号送信制御部１２０は、周囲に設置されている複数の外部機器２Ａ〜２Ｅ（図１参照）に、近距離無線通信によりトリガー信号をブロードキャストする。また、当該トリガー信号は、上述したように、外部機器２に所定の制御を指示するためのものである。トリガー信号送信制御部１２０は、例えば外部機器２がトリガー信号受信のタイミングで撮影／録音したデータをデータ記憶装置１に送信するよう指示するトリガー信号を生成し、外部機器２に送信してもよい。
【００４６】
マーキング部１３０は、トリガー信号を送信したタイミングで、データ記憶装置１において撮影／録音され、記憶メディア２０に保持される記憶データにマーキングを行うよう制御する。ここで、図５に記憶メディア２０に保持される記憶データの一例を示す。図５に示すように、各画像データには、マーキング部１３０によりマーキング情報が付与されている。マーキング情報は、例えばタイムスタンプ（時刻情報）や、ＧＰＳ測位部１５により検知した位置情報であってもよい。
【００４７】
データ生成部１５０は、データ記憶装置１によりユーザの外界を撮影／録音したデータ（第１の記憶データ）と、略同じタイミングで外部機器２によりユーザの周囲で撮影／録音されたデータ（第２の記憶データ）とに基づいて、所定のデータを生成する。例えば、データ生成部１５０は、第１の記憶データに付与されているマーキングがタイムスタンプおよび位置情報の場合、略同じ時刻のタイムスタンプおよび位置情報が付与されている第２の記憶データを抽出し、所定のデータを生成する。
【００４８】
データ生成部１５０が生成する所定のデータとは、例えば第１、第２の記憶データが撮像画像の場合、これらを合成した合成画像を生成する。また、データ生成部１５０は、第１の撮像画像と複数の第２の撮像画像がある場合、各撮像画像に付与されている位置情報に基づいて、ユーザによる視点変更操作に応じて切り替わる画像を生成してもよい。なお、本実施形態によるデータ生成部１５０により生成される画像については、後述の「４．画像生成」において詳細に説明する。
【００４９】
再生制御部１６０は、データ生成部１５０により生成されたデータを再生するよう制御する。具体的には、例えばデータ生成部１５０により合成画像が生成された場合、再生制御部１６０は、表示部１６に合成画像を表示するよう制御する。また、再生制御部１６０は、データ生成部１５０により視点変更操作に応じて切り替わる画像が生成された場合、ユーザによるテレ（望遠）／ワイド（広角）操作に応じて、表示部１６に表示する撮像画像を順次切り替えるよう制御してもよい。
【００５０】
以上、本実施形態によるデータ記憶装置１の構成について詳細に説明した。続いて、本実施形態による外部機器２の構成について図６を参照して説明する。
【００５１】
［２−３．外部機器］
図６は、本実施形態による外部機器２の構成を示すブロック図である。図６に示すように、外部機器２は、ＣＰＵ２１、ＲＯＭ２２、ＲＡＭ２３、カメラモジュール２４、マイク２５、通信部２６、ＧＰＳ測位部２７を有する。カメラモジュール２４、マイク２５、ＧＰＳ測位部２７、ＲＯＭ２２、およびＲＡＭ２３の主要機能は、データ記憶装置１の同構成と同様であるので、ここでの説明は省略する。
【００５２】
通信部２６は、外部装置とデータ通信を行うための通信インターフェースである。
本実施形態による通信部２６は、例えばＣＰＵ２１の制御に応じて、データ記憶装置１からトリガー信号を受信したり、当該トリガー信号に応じて外部機器２が撮影・録音したデータ（撮影画像、録音データ）をデータ記憶装置１に送信したりする。
【００５３】
ＣＰＵ２１は、外部機器２の各構成を制御する制御部である。例えば、ＣＰＵ２１は、通信部２６によりデータ記憶装置１から受信したトリガー信号により指示された所定の制御を行う。具体的には、ＣＰＵ２１は、例えばトリガー信号に応じて、カメラモジュール２４により撮影した撮影画像や、マイク２５により収音（録音）した音データを、データ記憶装置１に送信するよう制御する。また、ＣＰＵ２１は、撮影画像や音データに、ＧＰＳ測位部２７により検知した外部機器２の位置情報や、撮影時刻／録音時刻を示す時刻情報（タイムスタンプ）を付与して送信してもよい。
【００５４】
以上、本開示の一実施形態による記憶システムの各構成について詳細に説明した。続いて、本実施形態によるデータ記憶装置１の動作処理について図７を参照して詳細に説明する。
【００５５】
＜３．動作処理＞
図７は、本実施形態によるデータ記憶装置１の動作処理を示すフローチャートである。図７に示すように、まず、ステップＳ１０３において、データ記憶装置１による撮影／録音のＯＮ操作（電源スイッチＯＮ操作）がされる。
【００５６】
次いで、ステップＳ１０６において、ＣＰＵ１０は、連続的に撮影／録音を行うよう設定されているか否かを判断する。ここで、本実施形態によるデータ記憶装置１は、ユーザに装着され、ユーザの外界を記録し続けてライフログを取得するが、設定により、連続撮影／録音を行う場合と、ユーザの任意のタイミングで撮影／録音を行う場合に切り替えることが可能である。記憶制御部１１０は、設定に応じて撮影／録音を行うよう制御する。かかる切り替え設定は、操作入力部１４により検出するユーザ操作に応じて予め行われてもよい。また、撮影／録音を指示する指示部がタッチセンサであって、ユーザのタッチに応じて撮影／録音が行われる場合、ＣＰＵ１０は、例えばタッチ時間が所定時間より長い場合に連続撮影／録音と判断し、短い場合は単発の撮影／録音指示と判断してもよい。
【００５７】
次に、記憶制御部１１０が連続的に撮影／録音を行う設定である場合（Ｓ１０６／Ｙｅｓ）、ステップＳ１０９において、トリガー信号送信制御部１２０は、定期的／不定期的に、トリガー信号を外部機器２に送信するよう制御する。例えば、記憶制御部１１０が所定時間撮影／録音を続けるよう制御し、ライフログとしてビデオデータを取得している場合、トリガー信号送信制御部１２０は、所定間隔（例えば３０分毎）にトリガー信号を送信してもよい。
【００５８】
一方、記憶制御部１１０が連続的に撮影／録音を行う設定ではない場合（Ｓ１０６／Ｎｏ）、ステップＳ１０９において、トリガー信号送信制御部１２０は、ユーザ任意の撮影／録音のタイミングで、トリガー信号を外部機器２に送信するよう制御する。具体的には、トリガー信号送信制御部１２０は、例えばシャッターボタン／録音開始ボタンが操作されたタイミングで、トリガー信号を外部機器２に送信するよう制御する。
【００５９】
次いで、ステップＳ１１５において、マーキング部１３０は、トリガー信号を送信したタイミングで撮像／録音したデータに、マーキングを行う。例えば、記憶制御部１１０が所定時間撮影／録音を続けている場合、取得されるビデオデータのうち、トリガー信号を送信したタイミング（例えば３０分毎）に対応するフレームにマーキングを行ってもよい。
【００６０】
次に、ステップＳ１１８において、撮影／録音の終了操作（電源スイッチＯＦＦ操作）が行わると、ＣＰＵ１０は、動作処理を終了させる。
【００６１】
以上、本実施形態によるデータ記憶装置１のマーキング処理について詳細に説明した。上述したように、外部機器２にトリガー信号を送信したタイミングで、その際にデータ記憶装置１で撮影／録音したデータにマーキングを付与することで、後に当該マーキングに基づいて、外部機器２で撮影／録音したデータと紐付けることができる。
【００６２】
＜４．画像生成＞
次に、マーキングに基づいて紐付けられた各記憶データに基づき、データ生成部１５０が生成する所定のデータの一例について説明する。ここでは、記憶データの一例として撮像画像を用いて説明する。
【００６３】
（第１の画像生成例）
例えば、データ生成部１５０は、撮影画像に付与された位置情報に基づいて、ユーザによる視点変更操作に応じて切り替わる画像を生成できる。以下、図８を参照して説明する。
【００６４】
図８は、ユーザによる視点変更操作に応じて切り替わる画像例を示す図である。図８に示すように、まず、例えばデータ記憶装置１が撮影した撮影画像３０が表示され、次いで、ユーザがワイド（広角）操作を行うと、ユーザより後ろに配置された外部機器２で撮影した撮影画像３１（ユーザの後ろ姿が写っている画像）が表示される。また、さらにユーザがワイド（広角）操作を行うと、さらに後ろに配置された外部機器２で撮影した撮影画像３２が表示される。
【００６５】
これにより、データ記憶装置１で撮影されたユーザ自身の目線での撮影画像に加えて、ユーザを周りから撮影した撮影画像を閲覧することができるので、ユーザは、真のライフログを取得することができる。
【００６６】
（第２の画像生成例）
また、データ生成部１５０は、データ記憶装置１で撮影された撮影画像と外部機器２で撮影された撮影画像とを合成した合成画像を生成することもできる。以下、図９を参照して説明する。
【００６７】
図９は、データ記憶装置１で撮影された撮影画像と外部機器２で撮影された撮影画像とを合成した合成画像の一例を示す図である。データ生成部１５０は、図９に示すように、外部機器２で撮影した撮影した撮影画像３５−１、３５−３、３５−４、およびデータ記憶装置１が撮影した撮影画像３５−２を含む合成画像３５を生成する。
【００６８】
これにより、データ記憶装置１で撮影されたユーザ自身の目線での撮影画像に加えて、ユーザを周りから撮影した撮影画像を閲覧することができるので、ユーザは、真のライフログを取得することができる。
【００６９】
（第３の画像生成例）
また、データ生成部１５０は、データ記憶装置１で撮影された撮影画像や、外部機器２で撮影された撮影画像を、過去の画像と合成して生成することもできる。以下、図１０を参照して説明する。
【００７０】
図１０は、外部機器２で撮影された撮影画像を、過去の画像と合成して生成した画像の一例を示す図である。データ生成部１５０は、図１０に示すように、外部機器２で撮影された撮影画像３７に基づいて、ユーザの背景に過去の画像を合成した画像３８を生成する。ここで、過去の画像とは、撮影画像３７に写る場所の過去の風景を写す画像であってもよい。データ生成部１５０は、撮影画像３７に付与された位置情報に基づいて、過去の画像を選択してもよい。また、データ生成部１５０は、撮影画像３７を解析して抽出した各特徴点とマッチングするよう過去の画像を合成してもよい。
【００７１】
＜５．変形例＞
以上、本実施形態による記憶システムについて説明したが、本実施形態による記憶システムは、図２に示す構成に限られない。以下、本実施形態の第１の変形例による記憶システムについて図１１〜図１６を参照して説明する。
【００７２】
［５−１．第１の変形例］
図１１は、本実施形態の第１の変形例による記憶システムの全体構成を示す図である。図１１に示すように、本変形例による外部機器２はネットワーク３に接続している。また、ネットワーク３には、記憶装置４および情報処理装置５が接続されている。
【００７３】
本変形例による外部機器２は、データ記憶装置１からトリガー信号および識別信号を受信する。また、外部機器２は、当該トリガー信号に応じて、撮影／録音したデータに識別信号を付与してマーキング（ブックマークでもよい）を行う。そして、外部機器２は、マーキングを行った撮影／録音データを記憶装置４に送信する。識別信号は、ユーザＩＤやデータ記憶装置１のＩＤであってもよい。
【００７４】
これにより、後にユーザは、例えば情報処理装置５により、記憶装置４からユーザＩＤによりマーキングされた撮影画像を取得することができる。また、本変形例による情報処理装置５は、データ記憶装置１により撮影／録音されたデータも取得し、図４に示すデータ生成部１５０および再生制御部１６０として機能してもよい。
【００７５】
以下、本変形例によるデータ記憶装置１の動作処理、および外部機器２の動作処理について順次説明する。なお、本変形例では、データ記憶装置１および外部機器２のいずれかで撮影／録音を行うよう選択的に切り替えることも可能である。
【００７６】
（第１の変形例によるデータ記憶装置１の動作処理）
図１２〜図１４は、第１の変形例によるデータ記憶装置１の動作処理を示すフローチャートである。
【００７７】
まず、図１２のステップＳ２０３において、データ記憶装置１は、初期化処理を行う。
【００７８】
次いで、ステップＳ２０６において、データ記憶装置１のＣＰＵ１０は、操作入力部１４によりユーザ操作が検出されたか否かを判断する。
【００７９】
次に、ユーザ操作が検出された場合（Ｓ２０６／Ｙｅｓ）、ステップＳ２０９において、ＣＰＵ１０は、検出されたユーザ操作が撮影／録音操作であるか否かを判断する。
【００８０】
次いで、撮影／録音操作でなかった場合（Ｓ２０９／Ｎｏ）、ステップＳ２１２において、ＣＰＵ１０は、検出されたユーザ操作が連続撮影／録音の頻度変更操作であるか否かを判断する。
【００８１】
次に、連続撮影／録音の頻度変更操作であった場合（Ｓ２１２／Ｙｅｓ）、ステップＳ２１５において、ＣＰＵ１０は、連続撮影／録音の頻度変更処理を行う。
【００８２】
次いで、連続撮影／録音の頻度変更操作でなかった場合（Ｓ２１２／Ｎｏ）、ステップＳ２１８において、ＣＰＵ１０は、連続撮影／録音停止操作であるか否かを判断する。
【００８３】
次に、連続撮影／録音停止操作であった場合（Ｓ２１８／Ｙｅｓ）、ステップＳ２２１において、ＣＰＵ１０は、連続撮影／録音を停止する。
【００８４】
次いで、連続撮影／録音停止操作でなかった場合（Ｓ２１８／Ｎｏ）、ステップＳ２２４において、ＣＰＵ１０は、その他ユーザ操作に応じた制御処理を行う。
【００８５】
次に、撮影／録音操作であった場合（Ｓ２０９／Ｙｅｓ）、ステップＳ２２７において、ＣＰＵ１０の記憶制御部１１０は、撮影／録音を実行するようカメラモジュール１３／マイク１８を制御する。
【００８６】
次いで、図１３に示すステップＳ２３３において、データ記憶装置１のＣＰＵ１０は、外部機器２へ制御要求を行うか否かを判断する。例えばＣＰＵ１０は、外部機器２へ制御要求を行うよう設定されているか否かにより判断してもよい。
【００８７】
次に、外部機器２へ制御要求を行うと判断した場合（Ｓ２３３／Ｙｅｓ）、ステップＳ２３３において、ＣＰＵ１０は、外部機器２への制御要求が、撮影／録音要求であるか否かを判断する。例えば、本変形例によるデータ記憶装置１では、データ記憶装置１が撮影／録音を行ったタイミング、またはユーザの任意のタイミング（指示部を操作したタイミング等）で、撮影／録音要求を指示するトリガー信号を外部機器２に送信するよう設定されている。この際、ＣＰＵ１０は、データ記憶装置１が撮影／録音を行ったタイミング、またはユーザの任意のタイミング（指示部を操作したタイミング等）において、「撮影／録音要求である」と判断する。
【００８８】
次いで、撮影／録音要求である場合（Ｓ２３６／Ｙｅｓ）、ステップＳ２３９において、トリガー信号送信制御部１２０は、トリガー信号および識別信号を外部機器２に送信するよう制御する。
【００８９】
続いて、ステップＳ２４０において、マーキング部１３０は、トリガー信号送信のタイミングで、データ記憶装置１において撮影／録音したデータにマーキングを行う。
【００９０】
次に、撮影／録音要求でない場合（Ｓ２３６／Ｎｏ）、ステップＳ２４２において、ＣＰＵ１０は、外部機器２への撮影／録音頻度変更要求であるか否かを判断する。撮影／録音頻度とは、外部機器２が撮影／録音を行う頻度であって、例えば外部機器２がトリガー信号を受信してから所定頻度で複数回撮影／録音を行う設定である場合、データ記憶装置１は、ユーザ操作に応じてこの頻度を変更するよう要求することができる。
【００９１】
次いで、撮影／録音頻度変更要求であった場合（Ｓ２４２／Ｙｅｓ）、ステップＳ２４５において、ＣＰＵ１０は、頻度変更要求および識別信号を外部機器２に送信するよう通信部１７を制御する。
【００９２】
次に、撮影／録音頻度変更要求でない場合（Ｓ２４２／Ｎｏ）、ステップＳ２４８において、ＣＰＵ１０は、外部機器２の撮影／録音停止要求であるか否かを判断する。
【００９３】
次いで、外部機器２の撮影／録音停止要求であった場合（Ｓ２４８／Ｙｅｓ）、ステップＳ２５１において、ＣＰＵ１０は、撮影／録音停止要求および識別信号を外部機器２に送信するよう通信部１７を制御する。
【００９４】
次に、外部機器２の撮影／録音停止要求でない場合（Ｓ２４８／Ｎｏ）、ステップＳ２５４において、ＣＰＵ１０は、その他設定された所定の制御要求、および識別信号を外部機器２に送信するよう通信部１７を制御する。
【００９５】
次いで、図１４に示すステップＳ２６０において、ＣＰＵ１０は、データ記憶装置１の処理を終了するコマンド（電源スイッチＯＦＦ操作等）を検出した場合、ステップＳ２６３において、終了処理を行う。
【００９６】
以上、本変形例によるデータ記憶装置１の動作処理について説明した。続いて、本変形例による外部機器２の動作処理について説明する。
【００９７】
（第１の変形例による外部機器２の動作処理）
図１５および図１６は、第１の変形例による外部機器２の動作処理を示すフローチャートである。
【００９８】
まず、図１５のステップＳ３０３において、外部機器２は、初期化処理を行う。
【００９９】
次いで、ステップＳ３０６において、外部機器２のＣＰＵ２１は、通信部２６によりデータ記憶装置１から制御要求を受信したか否かを判断する。
【０１００】
次に、制御要求を受信した場合（Ｓ３０６／Ｙｅｓ）、ステップＳ３０９において、ＣＰＵ２１は、受信した制御要求が撮影／録音を要求するもの（トリガー信号）であるか否かを判断する。
【０１０１】
次いで、撮影／録音要求でなかった場合（Ｓ３０９／Ｎｏ）、ステップＳ３１２において、ＣＰＵ２１は、受信した制御要求が撮影／録音の頻度変更要求であるか否かを判断する。
【０１０２】
次に、撮影／録音の頻度変更要求であった場合（Ｓ３１２／Ｙｅｓ）、ステップＳ３１５において、ＣＰＵ２１は、要求者に対する撮影／録音の頻度変更処理を行う。例えば、上述したように外部機器２がトリガー信号を受信してから所定頻度で複数回撮影／録音を行う設定である場合、この頻度を、データ記憶装置１からの要求に応じて変更する。
【０１０３】
次いで、撮影／録音の頻度変更要求でなかった場合（Ｓ３１２／Ｎｏ）、ステップＳ３１８において、ＣＰＵ１０は、撮影／録音停止要求であるか否かを判断する。
【０１０４】
次に、撮影／録音停止要求であった場合（Ｓ２１８／Ｙｅｓ）、ステップＳ２１５において、ＣＰＵ１０は、撮影／録音を停止する。例えば、外部機器２がトリガー信号を受信してから所定頻度で継続的に撮影／録音を行い続けている場合、この撮影／録音を、データ記憶装置１からの要求に応じて停止する。より具体的には、外部機器２が結婚式場やコンサート会場等のイベント会場に複数配置されている場合、外部機器２は、ユーザに装着されたデータ記憶装置１からトリガー信号を受信してから、所定頻度で継続的に撮影／録音を行い続けるよう設定されることが想定される。
【０１０５】
次いで、撮影／録音停止要求でなかった場合（Ｓ２１８／Ｎｏ）、ステップＳ３２４において、ＣＰＵ１０は、その他要求された制御処理を行う。
【０１０６】
次に、撮影／録音要求であった場合（Ｓ３０９／Ｙｅｓ）、ステップＳ３２７において、ＣＰＵ２１は、撮影／録音を実行するようカメラモジュール２４／マイク２５を制御する。
【０１０７】
続いて、ステップＳ３３０において、ＣＰＵ２１は、カメラモジュール２４／マイク２５で撮影／録音したデータに、データ記憶装置１から受信した識別信号を付与してマーキングを行う。
【０１０８】
なお、外部機器２が、監視カメラ／マイクのように、継続的にカメラモジュール２４およびマイク２５により撮影・録音データ（ビデオデータ）を取得している場合も想定される。この場合、ＣＰＵ２１は、上記Ｓ３３０において、トリガー信号を受信したタイミング、またはトリガー信号を受信してから所定の頻度で、継続的に取得するビデオデータのうち対応するフレームにマーキング（ブックマークであってもよい）を行う。
【０１０９】
次いで、図１６に示すステップＳ３３９において、ＣＰＵ２１は、外部機器２の処理を終了するコマンドを検出した場合、ステップＳ３４２において、終了処理を行う。
【０１１０】
以上、本変形例による外部機器２の動作処理について説明した。
【０１１１】
［５−２．第２の変形例］
上述した実施形態および第１の変形例では、データ記憶装置１にとって、外部装置である１以上の外部機器２にトリガー信号を送信しているが、本実施形態による記憶システムはこれに限定されない。例えば、データ記憶装置１の処理を、外部機器２側で行ってもよい。この場合、本実施形態による外部機器２（データ記憶装置）にとっては、他の外部機器やデータ記憶装置１が外部装置となるので、外部機器２がこれらの外部装置にトリガー信号を送信し、外部装置に撮影／録音を指示する場合も、本開示による記憶システムに含まれる。以下、図１７および図１８を参照して具体的に説明する。
【０１１２】
（システム構成）
図１７は、本実施形態の第２の変形例による記憶システムの構成を示す図である。図１７に示すように、本変形例による記憶システムは、データ記憶装置１と、複数の外部機器２’（外部機器２’−１、２’−２、２’−３）を有する。本変形例による外部機器２’は、撮影、収音したデータに基づいて特定コマンドを検出すると、撮影／録音制御を行い、さらに近距離無線通信等により、外部装置にトリガー信号をブロードキャストする。ここで、例えば外部機器２’−１にとっての外部装置は、周囲に位置する他の外部機器２’−２、２’−３およびデータ記憶装置１である。
【０１１３】
また、外部機器２’−１は、トリガー信号を送信したタイミングで撮影／録音したデータにマーキングを行って保持してもよいし、さらに図１１に示すような記憶装置４にネットワーク３を介して送信してもよい。
【０１１４】
また、外部機器２’−１からトリガー信号を受信した他の外部機器２’−２、２’−３やデータ記憶装置１は、撮影／録音制御を行う。他の外部機器２’−２、２’−３やデータ記憶装置１は、撮影／録音したデータを外部機器２’に返送してもよいし、撮影／録音したデータにマーキングを行って保持してもよい。また、他の外部機器２’−２、２’−３やデータ記憶装置１は、撮影／録音したデータにマーキングを行った上で、図１１に示すような記憶装置４にネットワーク３を介して送信してもよい。また、他の外部機器２’−２、２’−３やデータ記憶装置１によるマーキングは、時刻情報、位置情報、および外部機器２’のＩＤ等を付与して行ってもよい。
【０１１５】
これにより、略同じタイミングで、ユーザの周囲に配された外部機器２’−１、２’−２、２’−３や、ユーザ自身に装着されたデータ記憶装置１で撮影／録音を行うことができる。また、撮影／録音されたデータにマーキングを行うことで、略同じタイミングで複数の装置により撮影／録音された複数の記憶データを紐付けることができる。
【０１１６】
ここで、外部機器２’が検出する特定コマンドは、例えば笑顔、手振り、指まげ等のジェスチャーや、「はい、チーズ！」、「撮影スタート！」といった撮影／録音を指示する音声であってもよい。また、外部機器２’は、歓声、拍手を検出してもよい。これにより、例えば結婚式場、コンサート会場、テーマパーク等の施設に複数の外部機器２’が配されている際、ユーザは、笑顔や盛り上がりに応じたライフログを取得することできる。
【０１１７】
若しくは、外部機器２’は、撮影、収音したデータに基づいて、事故、地震、地震速報アラーム、悲鳴等を特定コマンドとして検出してもよい。これにより、事件・事故発生時等の緊急事態を、複数の装置で撮影／録音することができる。
【０１１８】
（外部機器の構成）
本変形例による外部機器２’の基本構成は、ＣＰＵ２１’、図６に示す外部機器２のＣＰＵ２１以外の構成（ＲＯＭ２２、ＲＡＭ２３、カメラモジュール２４、マイク２５、通信部２６、ＧＰＳ測位部２７）、および記憶部を有する。
【０１１９】
ＣＰＵ２１’は、外部機器２’の各構成を制御する制御部である。ＣＰＵ２１’の具体的な機能について、以下図１８を参照して説明する。
【０１２０】
図１８は、第２の変形例による外部機器２’のＣＰＵ２１’の機能構成を示すブロック図である。図１８に示すように、ＣＰＵ２１’は、特定コマンド検出部２００、記憶制御部２１０、トリガー信号送信制御部２２０、マーキング部２３０として機能する。
【０１２１】
特定コマンド検出部２００は、カメラモジュール２４により継続的に取得する撮影画像や、マイク２５により継続的に取得する収音データに基づいて、特定コマンドを検出する。特定コマンドとは、上述したように、例えば笑顔、手振り、指まげ等のジェスチャーや、撮影／録音を指示する音声、歓声、拍手、事故、地震、地震速報アラーム、悲鳴等であってもよい。特定コマンド検出部２００は、例えばパターンマッチングにより所定の特定コマンドを検出することができる。
【０１２２】
そして、特定コマンド検出部２００は、特定コマンドを検出した旨を記憶制御部２１０に通知する。なお、特定コマンド検出部２００は、上記撮影／収音されたデータに基づいて、さらに撮影／録音制御のための付加情報を生成し、記憶制御部２１０に通知してもよい。付加情報とは、例えば撮影／録音の方向を示す情報である。特定コマンド検出部２００は、特定コマンドの音源位置推定や、画像解析、画像に写る群衆の目線等から、撮影／録音の方向を算出してもよい。
【０１２３】
記憶制御部２１０は、特定コマンド検出部２００により、特定コマンドを検出した旨の通知を受けると、撮影／録音制御を行う。具体的には、記憶制御部２１０は、カメラモジュール２４により取得される撮影画像や、マイク２５により取得される収音データを、記憶データとして記憶部（不図示）に保持するよう制御する。また、記憶制御部２１０は、特定コマンド検出部２００から撮影／録音の方向を示す情報が出力された場合、これに応じてカメラモジュール２４の撮影方向や、マイク２５の指向性を制御してもよい。
【０１２４】
トリガー信号送信制御部２２０は、記憶制御部２１０による撮影／録音に応じて、外部装置にトリガー信号を送信するよう通信部２６を制御する。具体的には、例えばトリガー信号送信制御部２２０は、周囲に設置されている他の外部機器２’−２、２’−３や、データ記憶装置１に、近距離無線通信によりトリガー信号をブロードキャストする。
【０１２５】
マーキング部２３０は、トリガー信号を送信したタイミングで、外部機器２’において撮影／録音され、記憶部に保持される記憶データにマーキングを行うよう制御する。マーキング部２３０によるマーキングは、例えばタイムスタンプ（時刻情報）や、ＧＰＳ測位部２７により検知した位置情報の付与であってもよい。
【０１２６】
以上説明したように、第２の変形例による記憶システムでは、外部機器２’がトリガー信号の送信を行う。これにより、例えばユーザが、自身に装着されているデータ記憶装置１を操作しなくとも、データ記憶装置１および複数の外部機器２’により撮影／録音されたライフログデータを取得することができる。
【０１２７】
［５−３．第３の変形例］
上述した図２に示すシステム構成では、データ記憶装置１が、周囲に配された外部機器２Ａ〜２Ｃにトリガー信号をブロードキャストしているが、本実施形態による記憶システムはこれに限定されない。例えば、本実施形態による第３の変形例による記憶システムでは、データ記憶装置１によるトリガー信号のブロードキャスト先に、他のユーザに装着されている他のデータ記憶装置を含めてもよい。以下、図１９を参照して具体的に説明する。
【０１２８】
図１９は、本実施形態による第３の変形例による記憶システムの構成を示す図である。図１９に示すように、ユーザＡに装着されているデータ記憶装置１Ａにとっては、周囲に配される外部機器２Ａ、２Ｂの他、近くに居るユーザＢに装着されているデータ記憶装置１Ｂも、外部装置であると言える。そこで、本変形例によるデータ記憶装置１Ａは、外部機器２Ａ、２Ｂ、および付近のデータ記憶装置１Ｂに、近距離無線通信等によりトリガー信号をブロードキャストしてもよい。
【０１２９】
データ記憶装置１Ａは、トリガー信号を送信したタイミングで撮影／録音したデータにマーキングを行って保持してもよいし、さらに図１１に示すような記憶装置４にネットワーク３を介して送信してもよい。
【０１３０】
また、データ記憶装置１Ａからトリガー信号を受信した他のデータ記憶装置１Ｂ、および外部機器２Ａ、２Ｂは、撮影／録音制御を行う。データ記憶装置１Ｂ、および外部機器２Ａ、２Ｂは、撮影／録音したデータをデータ記憶装置１に返送してもよいし、撮影／録音したデータにマーキングを行って保持してもよい。また、データ記憶装置１Ｂ、および外部機器２Ａ、２Ｂは、撮影／録音したデータにマーキングを行った上で、図１１に示すような記憶装置４にネットワーク３を介して送信してもよい。
【０１３１】
これにより、本変形例による記憶システムでは、周囲に配置された外部機器２Ａ、２Ｂの他、近くに居る他のユーザＢに装着されたデータ記憶装置１Ｂが撮影／録音したデータをライフログとして取得することができる。
【０１３２】
なお図１９に示す例では、データ記憶装置１Ｂが他のユーザＢに装着されているが、この他、野良猫や野鳥、動物園の動物等にデータ記憶装置１Ｂが装着されている場合も想定される。この場合、ユーザは、近くに居る動物の目線に応じた撮影画像や録音データをライフログとして取得することができる。
【０１３３】
また、外部機器２Ａ、２Ｂ等は、図１に示すように、建物の壁や電柱等に配される他、ヘリコプターや自転車等の移動体に配されていてもよい。これにより、ユーザは、例えばユーザの上空を飛ぶヘリコプターによりユーザを上方から撮影した俯瞰画像をライフログとして取得することができる。
【０１３４】
＜６．まとめ＞
上述したように、本実施形態による記憶システムでは、ユーザに装着されたデータ記憶装置と、ユーザの周囲に配された外部機器が、略同じタイミングで撮影／録音制御を行い、撮影／録音により取得した各記憶データを紐付けることができる。これにより、ユーザの外界を撮影・録音した記憶データと、同タイミングでユーザ自身を含む周囲から撮影・録音した記憶データが紐付けられ、ユーザは真のライフログデータを取得することができる。
【０１３５】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３６】
例えば、データ生成部１５０により生成される合成画像の一例として、図９に、複数の装置により同タイミングで同対象（例えばユーザ）を撮影した画像の合成を示した。ここで、本実施形態の変形例３で説明したように、ユーザＡに装着されたデータ記憶装置１Ａの他、ユーザＢに装着されたデータ記憶装置１Ｂ等、他のユーザや動物に装着された各データ記憶装置１でも、同タイミングで撮影／録音が行われる。そこで、例えば親と子どもがそれぞれ帽子等にデータ記憶装置１を装着している場合、親の目線の高さに応じた撮影画像および子どもの目線の高さに応じた撮影画像を取得でき、図９に示すように合成することができる。
【０１３７】
また、図８〜図１０は、記憶データが撮像画像の場合について示したが、記憶データが録音データの場合も同様である。例えば再生制御部１６０は、ユーザによる視点変更操作に応じて再生音声を切り替えてもよい。
【０１３８】
なお、本技術は以下のような構成も取ることができる。
（１）
撮像および録音の少なくともいずれかを行うデータ記憶装置であって、
所定のトリガー信号を外部装置に送信するトリガー信号送信部と、
前記撮像および録音の少なくともいずれかを行うよう制御する記憶制御部と、
前記トリガー信号を送信したタイミングで前記撮像および録音の少なくともいずれかにより取得した記憶データに、マーキングを行うマーキング部と、
を備える、データ記録装置。
（２）
前記トリガー信号は、前記外部装置が撮像および録音の少なくともいずれかにより取得した記憶データに対してマーキングするよう前記外部装置に指示するためのものである、前記（１）に記載のデータ記憶装置。
（３）
前記記憶制御部は、前記撮像および録音の少なくともいずれかを連続的に行うよう制御し、
前記トリガー信号送信部は、前記撮像および録音の少なくともいずれかが連続的に行われている場合、定期的または不定期的に、前記外部装置に前記トリガー信号を送信する、前記（１）または（２）に記載のデータ記憶装置。
（４）
前記データ記憶装置は、
前記撮像および録音の少なくともいずれかによる記憶データの取得をユーザが任意に指示するための指示部を備え、
前記記憶制御部は、前記指示部による指示に応じて、前記撮像および録音の少なくともいずれかを行うよう制御し、
前記トリガー信号送信部は、前記指示部が操作されたタイミングで、前記トリガー信号を送信する、前記（１）から３のいずれか１項に記載のデータ記憶装置。
（５）
前記指示部は、シャッターボタンまたは録音開始ボタンである、前記（４）に記載のデータ記憶装置。
（６）
前記データ記憶装置は、ユーザに装着され得るウェアラブル装置である、前記（１）〜（５）のいずれか１項に記載のデータ記憶装置。
（７）
前記外部装置は、前記ユーザの周囲に配されている外部機器、または他のユーザに装着されているウェアラブル装置である、前記（６）に記載のデータ記憶装置。
（８）
前記データ記憶装置は、屋外または屋内において、ユーザの周囲に配される外部機器である、前記（１）〜（４）のいずれか１項に記載のデータ記憶装置。
（９）
前記外部装置は、前記ユーザの周囲に配される他の外部機器、または前記ユーザに装着され得るウェアラブル装置である、前記（８）に記載のデータ記憶装置。
（１０）
前記データ記憶装置は、
特定コマンドを検出する検出部を備え、
前記記憶制御部は、前記検出部により検出された特定コマンドに応じで、前記撮像および録音の少なくともいずれかを行うよう制御し、
前記トリガー信号送信部は、前記検出部により前記特定コマンドが検出された場合、前記トリガー信号を前記外部装置に送信する、前記（１）〜（９）のいずれか１項に記載のデータ記憶装置。
（１１）
前記検出部は、撮像および録音の少なくともいずれかにより取得した記憶データに基づいて、前記特定コマンドを検出する、前記（１０）に記載のデータ記憶装置。
（１２）
前記特定コマンドは、撮像または録音を指示するコマンド、または緊急事態を示すコマンドである、前記（１０）または（１１）に記載のデータ記憶装置。
（１３）
前記検出部は、さらに撮像および録音の少なくともいずれかを行うための付加情報を生成する、前記（１０）〜（１２）のいずれか１項に記載のデータ記憶装置。
（１４）
前記付加情報とは、前記特定コマンドに応じた前記撮像および録音の少なくともいずれかによるデータ取得の方向を示す情報である、前記（１３）に記載のデータ記憶装置。
（１５）
前記マーキング部は、時刻情報によりマーキングを行う、前記（１）〜（１４）のいずれか１項に記載のデータ記憶装置。
（１６）
前記データ記憶装置は、
前記データ記憶装置が撮像および録音の少なくともいずれかにより取得した第１の記憶データと、当該第１の記憶データのマーキングと一致するマーキングがされた、前記外部装置が撮像および録音の少なくともいずれかにより取得した第２の記憶データとに基づいて、出力データを生成するデータ生成部と、
前記データ生成部により生成された出力データを再生する再生部と、
を備える、前記（１）〜（１５）のいずれか１項に記載のデータ記憶装置。
（１７）
コンピュータを、
所定のトリガー信号を外部装置に送信するトリガー信号送信部と、
撮像および録音の少なくともいずれかを行うよう制御する記憶制御部と、
前記トリガー信号を送信したタイミングで前記撮像および録音の少なくともいずれかにより取得した記憶データに、マーキングを行うマーキング部、
として機能させるための、プログラム。
【符号の説明】
【０１３９】
１、１Ａ、１Ｂ    データ記憶装置
２、２Ａ、２Ｂ、２’、２’−１、２’−２、２’−３    外部機器
３    ネットワーク
４    記憶装置
５    情報処理装置
１０    記憶制御部
１３、２４    カメラモジュール
１４    操作入力部
１５、２７    ＧＰＳ測位部
１６    表示部
１７、２６    通信部
１８、２５    マイク
１９    スピーカー
２０    記憶メディア
３０、３１、３２、３７    撮影画像
３５    合成画像
３５−１、３５−２、３５−３、３５−４    撮影画像
１１０、２１０    記憶制御部
１２０、２２０    トリガー信号送信制御部
１３０、２３０    マーキング部
１５０    データ生成部
１６０    再生制御部
２００    特定コマンド検出部
【図１】
2014033307.tif 000003
【図２】
2014033307.tif 000004
【図３】
2014033307.tif 000005
【図４】
2014033307.tif 000006
【図５】
2014033307.tif 000007
【図６】
2014033307.tif 000008
【図７】
2014033307.tif 000009
【図８】
2014033307.tif 000010
【図９】
2014033307.tif 000011
【図１０】
2014033307.tif 000012
【図１１】
2014033307.tif 000013
【図１２】
2014033307.tif 000014
【図１３】
2014033307.tif 000015
【図１４】
2014033307.tif 000016
【図１５】
2014033307.tif 000017
【図１６】
2014033307.tif 000018
【図１７】
2014033307.tif 000019
【図１８】
2014033307.tif 000020
【図１９】
2014033307.tif 000021